(57)【要約】      （修正有）【課題】芯材を有する帯状体の端部から芯材を露出させた状態でこの端部を保護することができる端部装着具及びこれを備えた組立体を提供する。【解決手段】長さ方向に沿って延びる芯材を具備した帯状体の端部に取り付けられる端部装着具１であって、それぞれ挟持面４，２２を有し、この挟持面４，２２間で帯状体の表裏面を挟持する２つの挟持体２，２０と、各挟持面４，２２が対向するように接近した状態で帯状体が挟持され、各挟持面４，２２が離反した状態で挟持が解除されるように、２つの挟持体２，２０を連結する連結部とから構成され、２つの挟持体２，２０の一方には、挟持体２，２０に挟持される帯状体の端面と対向する面１１を有する、挟持面４側に延びた壁部１０が形成されており、壁部１０には、帯状体端面と対向する面１１から反対側の面まで貫通し、帯状体の芯材が挿通される挿通孔１２が形成されている。【選択図】図１
2018130140.tif 000002
【特許請求の範囲】
【請求項１】
長さ方向に沿って延びる芯材を具備した帯状体の端部に取り付けられる端部装着具であって、
それぞれ挟持面を有し、該挟持面間で前記帯状体の表裏面を挟持する２つの挟持体と、
前記各挟持面が対向するように接近した状態で前記帯状体が挟持され、前記各挟持面が離反した状態で前記挟持が解除されるように、前記２つの挟持体を連結する連結部とから構成され、
前記２つの挟持体の一方には、前記挟持体に挟持される帯状体の端面と対向する面を有する、前記挟持面側に延びた壁部が形成されており、
前記壁部には、前記帯状体端面と対向する面から反対側の面まで貫通し、前記帯状体の芯材が挿通される挿通孔が形成されていることを特徴とする端部装着具。
【請求項２】
前記挿通孔は、長穴であることを特徴とする請求項１記載の端部装着具。
【請求項３】
前記壁部には、前記帯状体端面と対向する面及びその反対側の面の少なくとも一方に開口した凹部が形成されていることを特徴とする請求項１又は２記載の端部装着具。
【請求項４】
請求項１乃至３記載のいずれかの端部装着具と、
エネルギーの入力又は出力の少なくともいずれか一方が可能なインターフェース部を備えたモジュールと、
前記端部装着具及び前記モジュールが取り付けられるフレームとから構成され、
前記フレームには、該フレーム外面に開口する装着具取付部と、同じく該フレーム外面に開口するモジュール取付部とが隔壁を隔てて形成されており、
前記隔壁には、前記装着具取付部とモジュール取付部とを連通する貫通孔が形成され、
前記端部装着具は、前記挿通孔と前記貫通孔とが対向するように前記装着具取付部に取り付けられ、
前記モジュールは、前記インターフェース部と前記貫通孔とが対向するように前記モジュール取付部に着脱自在に取り付けられており、
前記端部装着具が前記帯状体の端部に取り付けられた状態で、前記挿通孔に挿通された芯材の端部が前記インターフェース部に接続又は対向し、前記インターフェース部から前記芯材へのエネルギーの出力又は前記芯材から前記インターフェース部へのエネルギーの入力の少なくともいずれか一方が可能であることを特徴とする組立体。
【請求項５】
前記端部装着具は、前記帯状体の端部に取り付けられており、
前記挿通孔に挿通された芯材の端部が前記インターフェース部に接続又は対向し、前記インターフェース部から前記芯材へのエネルギーの出力又は前記芯材から前記インターフェース部へのエネルギーの入力の少なくともいずれか一方が行われることを特徴とする請求項４記載の組立体。
【発明の詳細な説明】
【技術分野】
【０００１】
本発明は、帯状体の端部に装着される端部装着具及びこれを備えた組立体に関する。
【背景技術】
【０００２】
帯状体は、その形状に起因して端部が破断する、或いは裂けるといった問題が生じ易く、また、織物や編物からなる帯状体では、端部にほつれが生じるという問題が発生する。そこで、従来から、帯状体の端部に当該端部を保護するための端部装着具を取り付けるようにして、上記問題の解決を図っている。
【０００３】
このような端部装着具としては、例えば、特許文献１に記載の帯状体用端末具が提案されている。
【０００４】
この帯状体用端末具は、嵌め込み部を備えた頭部や、嵌め込み部から一体に設けられ、相互に対向する面に突起が形成された保持板部や、この保持板部間に設けられた差し込み部などを有する端末具本体と、端末具本体の嵌め込み部に嵌め合わされる保持筒とから構成されている。
【０００５】
この帯状体用端末具においては、帯状体を保持筒に挿通した上で、この帯状体の端部を端末具本体の差し込み部に差し入れ、差し入れられた帯状体を端末具本体の保持板部によって挟み込む。その後、保持筒を端末具本体の嵌め込み部に嵌め込むことによって、保持板部の突起が突き刺さった状態となり、帯状体用端末具が帯状体の端部に取り付けられる。
【０００６】
したがって、この帯状体用端末具によれば、帯状体の端部を保護することができ、端部の破断や裂け、ほつれなどが発生するのを防止することができる。
【先行技術文献】
【特許文献】
【０００７】
【特許文献１】特開平１１−２９０１０５号公報
【発明の概要】
【発明が解決しようとする課題】
【０００８】
ところで、帯状体の中には、電気配線として用いられるものであって導電性を有する銅線や銀線を芯材として有しているものや、装飾体として用いられるものであって光ファイバーなどを芯材として有しているものが存在する。このような芯材を有する帯状体は、電気配線として装置間を接続するものとして使用する場合、光ファイバーの端部に光を照射し、光ファイバーの外周面から漏出する光を利用した装飾体として使用する場合のいずれにおいても、その性質上、少なくとも端部においては芯材が露出していることが求められる。
【０００９】
しかしながら、芯材を有した帯状体の端部を上記従来の帯状体用端末具を取り付けて保護するようにした場合、帯状体用端末具によって帯状体端部が完全に覆われ、芯材が端部から露出していない状態になる。したがって、端部から芯材が露出している必要がある場合には、端部装着具として従来の帯状体用端末具を用いることができない。
【００１０】
本発明は以上の実情に鑑みなされたものであって、芯材を有する帯状体の端部から芯材を露出させた状態で当該端部を保護することができる端部装着具及びこれを備えた組立体の提供を、その目的とする。
【課題を解決するための手段】
【００１１】
上記課題を解決するための本発明は、
長さ方向に沿って延びる芯材を具備した帯状体の端部に取り付けられる端部装着具であって、
それぞれ挟持面を有し、該挟持面間で前記帯状体の表裏面を挟持する２つの挟持体と、
前記各挟持面が対向するように接近した状態で前記帯状体が挟持され、前記各挟持面が離反した状態で前記挟持が解除されるように、前記２つの挟持体を連結する連結部とから構成され、
前記２つの挟持体の一方には、前記挟持体に挟持される帯状体の端面と対向する面を有する、前記挟持面側に延びた壁部が形成されており、
前記壁部には、前記帯状体端面と対向する面から反対側の面まで貫通し、前記帯状体の芯材が挿通される挿通孔が形成されている端部装着具に係る。
【００１２】
この端部装着具は、まず、帯状体の端部から突出させた芯材が前記挿通孔に挿通されるとともに、帯状体の端面と壁部とを対向させ、長さ方向への帯状体の移動が規制されるように、挟持面間に帯状体が配置される。ついで、２つの挟持体を前記挟持面が対向するように接近させて、挟持面間で帯状体の表裏面を挟持することで、帯状体の端部に取り付けられる。
【００１３】
この端部装着具によれば、挿通孔を通して端部装着具の外方に芯材を露出させつつ、帯状体端部を保護して当該端部の破断や裂け、ほつれなどを防止することができる。
【００１４】
ところで、芯材は、帯状体の使用態様や求められる外観などに応じて任意の位置に設けられるものであり、その本数も１本である場合もあれば、複数本である場合もあるため、帯状体には、芯材の位置や本数が異なる様々なバリエーションが存在する。
【００１５】
そこで、上記端部装着具においては、前記挿通孔を長穴にしても良い。
【００１６】
この場合、挿通孔が長穴であるため、帯状体ごとに芯材の位置にバラツキがある場合や、帯状体ごとに芯材の本数が異なる場合であっても、挿通孔に芯材を挿通することができ、挿通孔を介して端部装着具の外方に芯材を露出させた状態で、帯状体の端部を保護することができる。したがって、この端部装着具は、芯材を有する多種多様な帯状体の端部装着具として使用することが可能な汎用性が高いものとなる。
【００１７】
尚、長穴の向きは、特に限定されるものではないが、例えば、帯状体の幅方向における芯材の位置が異なる各種帯状体の端部に取り付けることが想定される場合には、長穴の向きを挟持体の挟持面と平行な方向と沿うようにすれば良い。
【００１８】
また、上記端部装着具は、前記壁部に、前記帯状体端面と対向する面及びその反対側の面の少なくとも一方に開口した凹部が形成されていても良い。
【００１９】
この場合、帯状体に設けられた芯材の位置や本数に応じて、凹部を穿孔することで、予め形成されている挿通孔とは異なる挿通孔を形成し、この形成した挿通孔に芯材を挿通させることができる。
【００２０】
したがって、上記と同様に、この端部装着具も芯材を有する多種多様な帯状体の端部装着具として使用することが可能な汎用性が高いものとなる。
【００２１】
尚、壁部に形成する凹部の数は１つに限られるものではなく、壁部に複数の凹部が形成されていても良いし、穿孔した際に、挿通孔が長穴となるように凹部を形成するようにしても良い。
【００２２】
また、本発明は、
上記いずれかの端部装着具と、
エネルギーの入力又は出力の少なくともいずれか一方が可能なインターフェース部を備えたモジュールと、
前記端部装着具及び前記モジュールが取り付けられるフレームとから構成され、
前記フレームには、該フレーム外面に開口する装着具取付部と、同じく該フレーム外面に開口するモジュール取付部とが隔壁を隔てて形成されており、
前記隔壁には、前記装着具取付部とモジュール取付部とを連通する貫通孔が形成され、
前記端部装着具は、前記挿通孔と前記貫通孔とが対向するように前記装着具取付部に取り付けられ、
前記モジュールは、前記インターフェース部と前記貫通孔とが対向するように前記モジュール取付部に着脱自在に取り付けられており、
前記端部装着具が前記帯状体の端部に取り付けられた状態で、前記挿通孔に挿通された芯材の端部が前記インターフェース部に接続又は対向し、前記インターフェース部から前記芯材へのエネルギーの出力又は前記芯材から前記インターフェース部へのエネルギーの入力の少なくともいずれか一方が可能である組立体に係る。
【００２３】
この組立体においては、端部装着具が、挿通孔と貫通孔とが対向するように装着具取付部に取り付けられるとともに、モジュールが、インターフェース部と貫通孔とが対向するようにモジュール取付部に取り付けられるため、挿通孔とインターフェース部とが対向した状態となる。
【００２４】
よって、この組立体は、端部装着具が帯状体の端部に取り付けられた状態において、挿通孔に挿通された芯材の端部がインターフェース部に接続又は対向した状態となり、インターフェース部から芯材へのエネルギーの出力又は芯材からインターフェース部へのエネルギーの入力の少なくともいずれか一方が可能となる。
【００２５】
したがって、上記組立体において、前記端部装着具が前記帯状体の端部に取り付けられている場合には、前記挿通孔に挿通された芯材の端部が前記インターフェース部に接続又は対向し、前記インターフェース部から前記芯材へのエネルギーの出力又は前記芯材から前記インターフェース部へのエネルギーの入力の少なくともいずれか一方が行われるようになる。
【００２６】
また、この組立体においては、インターフェース部と挿通孔とが対向した状態、言い換えれば、インターフェース部と芯材の端部とが接続又は対向した状態でモジュールがモジュール取付部に着脱自在になっている。したがって、モジュールの取り外しが必要な場合、例えば、組立体を衣服等の装飾体として用いており、衣服等を洗濯する場合には、洗濯時に取り外したモジュールを洗濯後にモジュール取付部に取り付けるだけで容易にインターフェース部と芯材の端部とが接続又は対向した状態にすることができる。
【００２７】
尚、前記帯状体の芯材としては、光ファイバーなどの導光体からなるものや、銅線や銀線、炭素繊維などの導電性材料からなるものを例示することができ、モジュールとしては、光ファイバーの端部から光を導入するための発光モジュールや、導電性を有する芯材に電気を供給するための電気供給モジュール、導電性を有する芯材に接続される、アースに接続された電極などを例示することができる。
【００２８】
また、前記装着具取付部及びモジュール取付部の数は１つに限られるものではなく、例えば、フレームが３つの装着具取付部と１つのモジュール取付部を備えており、各装着具取付部とモジュール取付部との隔壁にそれぞれ貫通孔が形成され、各装着具取付部とモジュール取付部とがそれぞれ貫通孔によって連通するようになっていても良い。
【発明の効果】
【００２９】
以上のように、本発明に係る端部装着具によれば、挿通孔を通して当該端部装着具の外方に芯材を露出させつつ、帯状体の端部を保護し、当該端部の破断や裂け、ほつれなどを防止することができる。
【００３０】
また、本発明に係る組立体によれば、端部装着具に取り付けられる芯材の端部とモジュールのインターフェース部とを接続又は対向させ、インターフェース部から芯材の端部へのエネルギーの出力又は芯材の端部からインターフェース部へのエネルギーの入力の少なくともいずれか一方を行うことができる。更に、モジュールの着脱を繰り返す必要がある場合であっても、容易にインターフェース部と挿通孔とが対向した状態にすることができる。
【図面の簡単な説明】
【００３１】
【図１】一実施形態に係る端部装着具を示す図であり、（ａ）は上面図であり、（ｂ）は（ａ）における矢示Ａ方向から見た図であり、（ｃ）は（ａ）におけるＢ−Ｂ間の断面図である。
【図２】一実施形態に係る端部装着具を示す正面図である。
【図３】一実施形態に係る端部装着具を帯状体の端部に取り付ける過程を説明するための説明図である。
【図４】一実施形態に係る発光装置を示す正面図である。
【図５】一実施形態に係るフレーム及び発光モジュールを示す斜視図である。
【図６】一実施形態に係るフレームを示す図であり、（ａ）は正面図であり、（ｂ）は（ａ）の矢示Ｃ方向から見た図であり、（ｃ）は（ａ）の矢示Ｄ方向から見た図であり、（ｄ）は（ａ）の矢示Ｅ方向から見た図である。
【図７】帯状体の端部に取り付けた端部装着具をフレームに接続する過程を説明するための説明図である。
【発明を実施するための形態】
【００３２】
以下、本発明の一実施形態につき、図面を参照しつつ説明する。
【００３３】
［端部装着具］
まず、一実施形態に係る端部装着具１について、図１〜図３を参照して以下説明する。図１に示すように、この端部装着具１は、芯材Ｓを有する帯状体Ｔの端部に取り付けられる樹脂製の部材であり、第１挟持体２と第２挟持体２０とから構成され、前記第１挟持体２と第２挟持体２０とは、薄肉のヒンジ部３０によって連結されている。尚、本例の端部装着具１は、２つの挟持体２，２０及びヒンジ部３０が一体的に成形されており、図２に示すように、ヒンジ部３０を中心として第１及び第２挟持体２，２０が相互に接近離反する方向に揺動自在になっている。
【００３４】
前記第１挟持体２は、上面に開口し、前後方向（図１（ａ）の紙面に向かって上下方向）に沿って形成された凹状の収容部３と、この収容部３の前側に形成された壁部１０と、前記収容部３の右側面に形成された係合部１５とを備えている。尚、この第１挟持体２は、前記収容部３の左側面にヒンジ部３０が一体的に形成されている。
【００３５】
前記収容部３は、その底面が挟持面４であり、前後方向に沿った溝部５が前記挟持面４に開口するように形成されている。また、前記挟持面４上には、前記溝部５を挟んで複数の突起６及び複数の凹部７が形成されている。
【００３６】
前記壁部１０は、前記収容部３における挟持面４と直交し、且つ２つの挟持体２，２０によって挟まれた帯状体Ｔの端面と対向する面１１を有している。更に、この壁部１０における左右方向中央部には、前記対向する面１１から反対側の面まで貫通した開口部が略円形の挿通孔１２が穿設されており、前記帯状体Ｔの端面と対向する面１１の反対側の面には、前記挿通孔１２の開口部を囲むように環状凸部１３が形成されている。
【００３７】
前記係合部１５は、前記収容部３の右側面に形成された段差部１６であり、後述する係合片２６の鉤爪部２７が引っ掛かるようになっている。
【００３８】
また、この第１挟持体２における収容部３の下面中央近傍には、直方体状の嵌合突起１８が形成されている。
【００３９】
前記第２挟持体２０は、前後方向に沿って形成された凸条部２１と、この凸条部２１の左側面に連設された係合片２６とからなり、凸条部２１の右側面にヒンジ部３０が一体的に形成されている。
【００４０】
前記凸条部２１は、その上面が挟持面２２であり、前記前後方向に沿った溝部２３が前記挟持面２２に開口するように形成されている。また、前記挟持面２２上には、前記溝部２３を挟んで複数の突起２４及び複数の凹部２５が形成されている。尚、第２挟持体２０における複数の突起２４及び凹部２５は、各挟持体２，２０の挟持面４，２２が向き合った際に、それぞれ第１挟持体２における複数の凹部７及び突起６と対向する位置に形成されている。
【００４１】
前記係合片２６は、鉤爪部２７が前記第１挟持体２の段差部１６に引っ掛かることで、係合部１５と係合するようになっている。
【００４２】
また、この凸条部２１の下面中央近傍には、直方体形状の嵌合突起２８が形成されている。
【００４３】
次に、この端部装着具１を帯状体Ｔの端部に取り付ける過程について説明する。尚、本例の帯状体Ｔは、幅方向における略中央に長さ方向に沿った芯材Ｓを有している。
【００４４】
まず、帯状体Ｔの端部から予め芯材Ｓの端部を突出させた上で、この突出した芯材Ｓを挿通孔１２に挿通させるとともに、帯状体Ｔの端面と壁部１０の面１１とが当接して帯状体Ｔの長さ方向への移動が規制され、且つ芯材Ｓが溝部５内に配置されるように帯状体Ｔを収容部３の挟持面４上に載置する（図３参照）。これにより、芯材Ｓが挿通孔１２を通して外方に露出した状態となる。尚、本例においては、帯状体Ｔの端部から突出させる芯材Ｓの長さを、芯材Ｓが挿通孔１２に挿通された状態で、環状凸部１３から芯材Ｓの先端がわずかに突出するような長さにしている。
【００４５】
ついで、第２挟持体２０を第１挟持体２に接近させる方向に揺動させ、係合片２６の鉤爪部２７を係合部１５の段差部１６に引っ掛けることで両者を係合させ、２つの挟持体２，２０によって帯状体Ｔを挟持する。これにより、帯状体Ｔの端部に端部装着具１が取り付けられる。尚、この端部装着具１において、帯状体Ｔには、各挟持面４，２２上に形成された突起６，２４が食い込むようになっているため、端部装着具１から帯状体Ｔが脱落するのが防止されている。また、この端部装着具１では、溝部５，２３が形成されており、帯状体Ｔを挟持した際に、この溝部５，２３内に芯材Ｓが配置されるようになっているため、帯状体Ｔの芯材Ｓ以外の部分の厚さが芯材Ｓの太さよりも薄い場合であっても、帯状体Ｔに突起６，２４を食い込ませることができ、また、各挟持体２，２０の変形も抑えられるようになっている。
【００４６】
この端部装着具１によれば、挿通孔１２を通して当該端部装着具１の外方に芯材Ｓを露出させつつ、帯状体Ｔの端部を保護することができ、当該端部が破断する、裂ける、或いは端部にほつれが生じるといった問題の発生を防止することができる。
【００４７】
尚、帯状体Ｔの芯材Ｓとしては、銅線、銀線、炭素繊維などの導電性材料からなるものや、光ファイバーなどの導光体を例示することができる。
【００４８】
例えば、芯材Ｓとして銅線を有する帯状体Ｔの端部に当該端部装着具１を取り付けた場合には、挿通孔１２を通して端部装着具１の外方に銅線を露出させることができるため、帯状体Ｔの端部を保護しつつ、銅線に電源などを接続して電気配線などに用いることができる。
【００４９】
また、この端部装着具１を芯材Ｓとして光ファイバーを有する帯状体Ｔの端部装着具として用いた場合には、帯状体Ｔの端部を保護しつつ、挿通孔１２を通して端部装着具１の外方に露出した光ファイバーの端面から光を取り込ませることができるため、光ファイバーの発光を利用した装飾体などに用いることが可能となる。
【００５０】
［発光装置］
次に、本発明の一実施形態に係る組立体について、発光部を備えた発光モジュールをモジュールとして用い、芯材を有する帯状体に光ファイバーを有する帯状体を用いた発光装置を例にとって、図４〜図７を参照しつつ以下説明する。
【００５１】
発光装置４０は、図４に示すように、上述した端部装着具１と、発光部４２，４３，４４を備えた発光モジュール４１と、端部装着具１が取り付けられるとともに、発光モジュール４１が着脱自在に取り付けられたフレーム５０とから構成されている。尚、端部装着具１は、芯材Ｓとして光ファイバーを有する帯状体Ｔの端部に取り付けられている。
【００５２】
前記発光モジュール４１は、図５に示すように、概略直方体形状の部品であり、両側面の下部に発光部４２，４３がそれぞれ形成されるとともに、底面にも同様に発光部４４が形成されている。尚、この発光部４２，４３，４４には、当該発光モジュール４１の内部に設けられた光源（図示せず）から光が導かれるようになっており、スイッチ４５によって光源のオンオフを切り替えることで、点灯状態と消灯状態とを切り換えることができるようになっている。
【００５３】
前記フレーム５０は、図５及び図６に示すように、ブロック状の部材であり、前記発光モジュール４１が着脱自在に取り付けられるモジュール取付部５１と、それぞれ端部装着具１が取り付けられる第１、第２及び第３装着具取付部５２，５４，５６とが形成されている。
【００５４】
前記モジュール取付部５１は、フレーム５０の上面に開口し、前記発光モジュール４１が収容可能な大きさにくり抜かれて形成された空間である。
【００５５】
前記第１装着具取付部５２は、フレーム５０の右側面に開口し、前記モジュール取付部５１の手前までくり抜かれたような形状の空間であり、当該第１装着具取付部５２は、前記モジュール取付部５１と隔壁によって隔てられている。
【００５６】
また、前記第２装着具取付部５４は、フレーム５０の左側面に開口し、前記モジュール取付部５１の手前までくり抜かれたような形状の空間であり、この第２装着具取付部５４も前記モジュール取付部５１と隔壁によって隔てられている。
【００５７】
前記第３装着具取付部５６は、フレーム５０の下面に開口し、同様に、モジュール取付部５１の手前までくり抜かれたような形状の空間であり、この第３装着具取付部５６もモジュール取付部５１と隔壁によって隔てられている。
【００５８】
尚、これら３つの装着具取付部５２，５４，５６は、前記端部装着具１が収容可能な大きさに形成されている。また、各装着具取付部５２，５４，５６における、フレーム５０の前面側及び裏面側の内壁面には、端部装着具１の嵌合突起１８，２８が嵌合する嵌合溝５３，５５，５７がそれぞれ形成されている。
【００５９】
更に、前記各装着具取付部５２，５４，５６とモジュール取付部５１との間の隔壁には、それぞれ各装着具取付部５２，５４，５６とモジュール取付部５１とを連通する貫通孔５８，５９，６０が穿設されている。尚、各貫通孔５８，５９，６０は、装着具取付部５２，５４，５６側の開口部が各装着具取付部５２，５４，５６に取り付けられる端部装着具１の挿通孔１２と対向し、モジュール取付部５１側の開口部が当該モジュール取付部５１に取り付けられる発光モジュール４１の各発光部４２，４３，４４と対向するように穿設されている。また、これら各貫通孔５８，５９，６０は、その直径が端部装着具１の環状凸部１３の外径よりもわずかに大きくなっている。
【００６０】
尚、前記フレーム５０には、その上面から離反する方向にこの上面からガイド部６１が延設され、前記フレーム５０の両側面及び下面には、これら各面から離反する方向に延びる舌片部６２，６３，６４がそれぞれ形成されている。
【００６１】
次に、フレーム５０に端部装着具１を取り付ける過程について、第１装着具取付部５２に端部装着具１を取り付ける場合を例にとって、図７を参照しつつ説明する。
【００６２】
図７（ａ）に示すように、帯状体Ｔの端部に取り付けられた端部装着具１を第１装着具取付部５２内に差し入れる。これにより、環状凸部１３が貫通孔５８内に挿通された状態で、端部装着具１が第１装着具取付部５２に取り付けられる（図７（ｂ）参照）。尚、端部装着具１を取り付けた際に、嵌合突起１８，２８が嵌合溝５３に嵌合することで、端部装着具１の脱落が防止されるようになっている。
【００６３】
第２及び第３装着具取付部５４，５６についても同様にして端部装着具１を取り付けることができる。
【００６４】
また、発光モジュール４１については、モジュール取付部５１の開口部を通して差し入れることにより、各発光部４２，４３，４４が各貫通孔５８，５９，６０におけるモジュール取付部５１側の開口部と対向した状態で取り付けられる。
【００６５】
以上の構成を備えた発光装置４０は、発光モジュール４１の各発光部４２，４３，４４と端部装着具１が取り付けられた帯状体Ｔにおける芯材Ｓの端部とが対向した状態となり、各発光部４２，４３，４４から照射された光が芯材Ｓの端部から取り入れられるようになる。
【００６６】
また、この発光装置４０においては、発光モジュール４１が着脱自在となっており、取り付けた際に、常に発光部４２，４３，４４と芯材Ｓの先端が対向するようになっている。そのため、例えば、この発光装置４０を装飾体として衣服に用いており、この衣服を洗濯する際に、電気部品である発光モジュール４１を取り外し、洗濯後に当該発光モジュール４１をモジュール取付部５１に取り付けるだけで、容易に各発光部４２，４３，４４と芯材Ｓの端部とが対向した状態に位置合わせすることができる。
【００６７】
以上、本発明の一実施形態について説明したが、本発明の採り得る態様は何らこれに限定されるものではない。
【００６８】
例えば、上例の端部装着具１は、開口部が略円形の挿通孔１２を形成するようにしているが、例えば、挿通孔１２は、その向きが挟持面４と平行な方向に沿った長穴であっても良い。このようにすれば、帯状体Ｔごとに芯材Ｓの位置にバラツキがある場合や、帯状体Ｔごとに幅方向に沿って設けられた芯材の本数が異なるような場合であっても、それぞれの帯状体Ｔの芯材Ｓを挿通孔１２に挿通させることができ、挿通孔１２を通して端部装着具１の外方に芯材Ｓを露出させた状態で、帯状体Ｔの端部を保護することができる。
【００６９】
また、上例の端部装着具１では、挿通孔１２を一つだけ形成するようにしているが、挿通孔の数は二以上であっても良く、また、壁部１０に、帯状体Ｔ端面と対向する面及びその反対側の面の少なくとも一方に開口した凹部を予め形成しておき、帯状体Ｔに設けられた芯材Ｓの位置や本数に応じて、凹部を穿孔して帯状体Ｔごとに挿通孔の数を変えるようにしても良い。このようにすれば、芯材Ｓの位置や本数に応じて穿孔した新たな挿通孔に芯材Ｓを挿通することができ、上記と同様に、挿通孔を介して端部装着具１の外方に芯材Ｓを露出させた状態で、帯状体Ｔの端部を保護することができる。
【００７０】
また、上例では、組立体が発光装置である場合を例にとって説明したが、本発明の組立体が採り得る態様は、これに限られるものでない。
【００７１】
例えば、芯材Ｓとして銅線を有する帯状体と、モジュールとして、銅線の端部に接続される接続部を備えた電源モジュールを用いた電力供給装置であっても良い。この場合、例えば、衣服等に心電図を測定する装置を取り付け、この装置に電力を供給する装置として用いることができる。
【００７２】
また、モジュールとして、アースに接続された電極を用いることで、この電極を銅線などの導電性を有する芯材の端部に接続することで、静電気除去装置として用いることもできる。
【符号の説明】
【００７３】
１    端部装着具
２    第１挟持体
３    収容部
４    挟持面
１０  壁部
１２  挿通孔
１５  係合部
２０  第２挟持体
２１  凸条部
２２  挟持面
２６  係合片
３０  ヒンジ部
４０  発光装置
４１  発光モジュール
４２，４３，４４  発光部
５０  フレーム
５１  モジュール取付部
５２  第１装着具取付部
５４  第２装着具取付部
５６  第３装着具取付部
５８，５９，６０  貫通孔
【図１】
2018130140.tif 000003
【図２】
2018130140.tif 000004
【図３】
2018130140.tif 000005
【図４】
2018130140.tif 000006
【図５】
2018130140.tif 000007
【図６】
2018130140.tif 000008
【図７】
2018130140.tif 000009